【事件の表示】
　特許第３０９１７２３号「遊技機」の請求項１〜４に係る特許に対する特許異議の申立てについて、次のとおり決定する。
【結　論】
　特許第３０９１７２３号の請求項１〜４に係る特許を維持する。
【理　由】
１．手続の経緯
　本件特許第３０９１７２３号の請求項１〜４に係る発明は、平成１２年７月２１日にその特許の設定登録がなされ、これに対して、小室豊及び菊地淑乃より特許異議の申立てがなされ、平成１３年９月１８日付けでその特許の取り消し決定がなされ、その後東京高等裁判所に出訴、その出訴期間中に願書に添付した明細書を訂正することについての訂正の審判（２００２年審判第３９０５５号）が請求され、その訂正を認める審決がなされ、それに伴い、前記決定が取り消されたものである。
２．取消理由及び申立ての理由の概要
・平成１３年５月３１日付の取消理由において請求項１〜４に対する第２９条第２項違反で引用された刊行物は以下のとおりである。
　刊行物１：特開平２−２９９６７９号公報（特許異議申立人「小室豊」が提出した甲第１号証）
　刊行物２：特開平４−９０７７７号公報
　刊行物３：実願昭６２−５７９５４号（実開昭６３−１６３８７７号）のマイクロフィルム
　刊行物４：特開平３−２５１２７９号公報（特許異議申立人「菊池淑乃」の提出した甲第１号証）
・平成１３年５月３１日付の取消理由において請求項１及び４に対する第２９条の２第１項違反で引用された先願は以下のとおりである。
　先願：特願平４−１００７２２号（特開平５−２６９２４３号）
・異議申立人小室豊は、
　甲第１号証（特開平２−２９９６７９号公報）、
　甲第２号証（実願昭６０−１７４８９３号（実開昭６２−８４４８４号）のマイクロフィルム）、
　甲第３号証（特開平１−２０９０８９号公報）
　甲第４号証（特開平２−２７４２７５号公報）
　を提出し、請求項１〜４に係る発明の特許は特許法第２９条第２項の規定に違反してなされたものであるから、請求項１〜４に係る発明の特許を取り消すべき旨主張している。
・異議申立人菊池淑乃は、
　甲第１号証（特開平３−２５１２７９号公報）
　を提出し、請求項１〜４に係る発明の特許は特許法第２９条第１項第３号又は同法同条第２項の規定に違反してなされたものであるから、請求項１〜４に係る発明の特許を取り消すべき旨主張している。
３．異議申立についての判断
（１）本件発明
　訂正明細書の請求項１〜４に係る発明は、その特許請求の範囲の請求項１〜４に記載された次の事項によって特定されるとおりのものと認められる。
「【請求項１】　遊技領域に遊技球を打込んで遊技が行なわれる遊技機であって、複数種類の識別情報を画像表示可能な可変表示部を複数有する画像表示装置と、前記遊技領域に打込まれた遊技球が入賞可能な始動入賞口と、前記遊技領域に設けられ、遊技者にとって有利な第１の状態と遊技者にとって不利な第２の状態とに変化可能な可変入賞球装置と、前記始動入賞口に遊技球が入賞したことを条件として前記複数の可変表示部の表示結果を導出表示させるための可変表示制御を開始させた後、時期を異ならせて表示結果を導出表示させる制御を行なう可変表示制御手段とを含み、前記画像表示装置は、複数の有効ラインが定められており、該複数の有効ラインのうちの２本以上の有効ライン上において同時にリーチ状態が発生可能に構成されているとともに、前記複数の有効ラインのうちのいずれかにおいて特定の表示態様が表示結果として導出表示された場合に、前記可変入賞球装置を第１の状態に制御可能となるように定められており、前記可変表示制御手段は、前記可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について前記識別情報の表示に加えて順次目印画像表示を行なうための目印画像表示データをセットする処理を行なうことを特徴とする、遊技機。
【請求項２】　前記画像表示装置は、前記可変表示部がマトリックス状に配列されているとともに、前記有効ラインが行方向有効ラインと列方向有効ラインとを含んでいることを特徴とする、請求項１に記載の遊技機。
【請求項３】　前記複数の可変表示部により表示結果として導出表示された識別情報は、いずれも複数の前記有効ライン上に位置していることを特徴とする、請求項１に記載の遊技機。
【請求項４】　前記画像表示装置は、前記複数の可変表示部個々について表示結果として有効な識別情報を１つ表示することを特徴とする、請求項１〜請求項３のいずれかに記載の遊技機。」
（以下、各々「本件発明１」〜「本件発明４」という。）
（２）２９条の２項について
１）刊行物記載の発明
１）−１．平成１３年５月３１日付けの取消理由通知で引用された刊行物１（特開平２−２９９６７９号公報（特許異議申立人「小室豊」が提出した甲第１号証））には以下の事項が記載されている。
「複数種類の識別情報を可変表示可館な識別情報表示部が複数配置された可変表示装置と、前記複数の識別情報表示部が停止したときの組合せ表示状態を判定する表示状態判定手段と、該表示状態判定手段から識別情報表示部の組合せが複数あるうちの１つの特定識別情報の組合せとなって特定表示状態である旨の判定出力があることに基づいて遊技者に所定の価値を付与する所定価値付与手段と、を備えた弾球遊技機において、前記表示状態判定手段は、前記複数の識別情報表示部の組合せに対して複数設定される有効ライン上の組合せ表示状態を判定するように構成され、前記可変表示装置は、前記複数の有効ラインのうち１つの有効ライン上に特定表示状態が成立する可能性が生じたときに、他の少なくとも１つの有効ライン上にも特定表示状態が成立する可能性が生じるように特定識別情報を識別情報表示部に表示するようにしたことを特徴とする弾球遊技機。」（特許請求の範囲）、
「組合せ表示状態の判定が複数の有効ライン上に位置する識別情報表示部に表示される識別情報の組合せによって行われるとともに、識別情報表示部が順次停止して未だ可変表示を行っている識別情報表示部が少なくとも残り１つとなったときに、ある１つの有効ライン上の既に停止している識別情報表示部の表示状態が特定表示状態になり得る可能性があるときには、他の少なくとも１つの有効ライン上の識別情報表示部にも特定表示状態となり得る特定識別情報が表示されている。すなわち、特定表示状態となる可能性が少なくとも２種類あることになる。このため、最後に停止する識別情報表示部のそれぞれの有効ライン上の表示状態が複数ある特定識別情報のうちの少なくとも２種類の識定識別情報で停止すれば、特定表示状態となる可能性があるため、遊技者の期持感を高揚させ、これにより大きな遊技の興趣を味わうことができる。」（第２頁左下欄１８行〜同右下欄１５行）、
「遊技領域１２のほぼ中央には、複数の識別情報表示部１４（正確には、１４ａ〜１４ｇの７つに区画される）を有する可変表示装置１３が設けられ、該可変表示装置１３の下方に入賞空間３１を有する可変入賞球装置３０が設けられている。・・・そして、可変入賞球装置３０の開閉板３２は、前記可変表示装置１３の識別情報表示部１４の識別情報の組み合せが所定の特定表示状態となったときに、特定遊技状態となり、所定期間（例えば、３０秒経過するまで、あるいは１０個の入賞玉が発生するまで）開放するように設定され、その開放している間遊技領域１２を落下する打玉を受止めるようになっている。」（第３頁右上欄１４行〜同左下欄９行）、
「ところで、識別情報表示部１４は、後述するように３つの回転ドラム２０ａ〜２０ｃの側面外周にそれぞれ所定個数（実施例の場合には、１６個）の識別情報が描かれており、図示左右の回転ドラム２０ａ，２０ｃに描かれた識別情報が３つ表示されるように、中央の回転ドラム２０ｂに描かれた識別情報は、中央の１つの識別情報だけしか表示されないようにカバー部材１９にブラインドが施されている。このため、識別情報表示部１４は、第４図に示すように７つの表示部１４ａ〜１４ｇに区画されることになる。」（第３頁右下欄１２行〜第４頁左上欄２行）、
「また、カバー部材１９の左右には、有効ラインを表示するライン表示器１５ａ〜１５ｆが配置されている。すなわち、この可変表示装置１３においては、カバー部材１９から見える３つの識別情報の中央の１つの横方向（ライン表示機１５ａ?ｌ５ｂとを結ぶライン）及び２つの斜め方向（ライン表示器１５ｃ?１５ｄ、１５ｅ?１５ｆとを結ぶライン）において有効ラインが設定されており、・・・また、このライン表示器１５ａ〜１５ｆは、大当りが成立したときだけでなく、大当りが出現する可能性があるときにも点滅してその旨を報知するようになっている。例えば、最後に停止する中央の識別情報表示部１４ｄが可変表示中で左右の識別情報表示部１４ａ〜１４ｃ、１４ｅ〜１４ｇが停止しているときに、左右の識別情報表示部１４ａ〜１４ｃ、１４ｅ〜１４ｇの上記した３つの有効ライン上のいずれかに大当りの識別情報が表示されているときには、当該有効ラインを表示するライン表示器が点滅して大当りの可能性があることを遊技者に報知する。」（第４頁左上欄３行〜同右上欄第６行）、
「ところで、第５図に示される識別情報の配列関係において、この実施例の特徴的なところは、左右の回転ドラム２０ａ，２０ｃに特定表示状態となる特定識別情報が１つの識別情報を介して上下逆となる箇所が設けられていることである。・・・このため、左右の回転ドラム２０ａ，２０ｃが複数の有効ライン上で特定表示状態が成立する可能性がある「Ａ」と「Ａ′」とで停止した状態で中央の回転ドラム２０ｂの停止状況に大きな注目が集中するとともに、遊技者の期待感が高揚され、より大きな興趣を味わうことができる。」（第５頁右上欄１行〜同左下欄５行）、
「第１図に戻って、遊技領域１２の可変入賞球装置３０の下方には、前記回転ドラム２０ａ〜２０ｃの回転を許容する始動入賞口３７ａ〜３７ｃが設けられている。また、始動入賞口３７ａ〜３７ｃには、始動入賞玉検出器４９ａ〜４９ｃが一体的に設けられ、始動入質口３７ａ〜３７ｃに入賞した打玉を検出して後述するマイクロコンピュータ８０に検出信号を送るようになっている。」（第５頁右下欄６〜１３行）、
「このようにして左右のドラムが停止すると、前記ステップＳ１０において呼び出されたデータＤ１、Ｄ３が大当り条件を満たしているか否か、すなわち、３つの有効ラインのいずれかに前記した「１」「３」「５」「７」「９」「Ｆ」の六種類の図柄のうち１つの図柄が揃って表示されているか否かが判別される（ステップＳ３０）。・・・一方、データＤ１、Ｄ３が大当り条件を満たしていると判別された場合には、・・・ライン表示器１５ａ〜１５ｆでその旨を報知する（ステップＳ３２）。なお、このとき前記した第５図で示すように「Ａ」と「Ａ′」又は「Ｂ」と「Ｂ′」の位置で停止して大当りの可能性が２つ以上の有効ライン上にある場合には、遊技者の期待感を高揚させることができる。」（第９頁左上欄４行〜同右上欄４行）、
「２（丸数字）可変表示装置１３の構造として、実施例の回転ドラム２０ａ〜２０ｃに代えて、例えば、セグメントＬＥＤ、ＬＣＤ、ＥＬ、ルーレット式、リーフ式、ベルト式、ドットマトリックス、等の識別情報表示部であってもよく、また、これらを組合せたものでもよい。また、識別情報表示郡の教及び有効ラインの数も少なくとも２以上であれば、その数は、実施例に限定されないし、・・・３（丸数字）識別情報表示部の停止順序は、実施例に限定されない。」（第１４頁左上欄７行〜同右上欄３行）、
「この発明に係る弾球遊技機は、複数の有効ラインのうち１つの有効ライン上に特定表示状態が成立する可能性が生じたときに、他の少なくとも１つの有効ライン上にも特定表示状態が成立する可能性が生じるように特定識別情報を識別情報表示部に表示するように構成したので、特定表示状態となる期待感がより一層高まり、遊技者の興趣を極めて強烈に引き付けることができる。」（第１４頁左下欄１３行〜同右下欄１行）、
１）−２．平成１３年５月３１日付けの取消理由通知で引用された刊行物２（特開平４−３８９８０号公報）には以下の事項が記載されている。
「複数の識別情報が表面に形成された回転部材を備えた可変表示装置において、前記回転部材を透光性のある部材で構成すると共に、遊技者が視認し得る識別情報の裏面から光を照射する発光部材を設けたことを特徴とする可変表示装置。」（特許請求の範囲）、
「従来、遊技機、例えば、弾球遊技機や回動式遊技機（スロットルマシーンともいう）においては、複数の回転ドラムを回転させ、その回転ドラムの停止時に表示される識別情報の組合せが所定の組合せとなったときに、予め定められた遊技価値を付与するように構成された可変表示装置を備えたものが市場に提供されていた。」（第１頁左下欄１８行〜同右下欄４行）、
「第１２図を参照して、実施例に係る可変表示装置３０が適用される遊技機の一例としてのパチンコ遊技機１について説明する。・・・前記遊技盤１０の表面には、発射された打玉を誘導するための打玉誘導レール１１ａと、該打玉誘導レール１１ａによって誘導された打玉が落下するための遊技領域１２を区画する遊技領域形成レール１１ｂがほぼ円状に植立されている。遊技領域１２のほぼ中央には、この実施例の要部を構成する複数の回転ドラム４６ａ〜４６ｃを有する可変表示装置３０が設けられ、該可変表示装置の下方に入賞領域１５を有する可変入賞球装置１３が設けられている。・・・入賞領域１５は、遊技盤１０の表面に対して下端を軸にして開放自在な開閉板１６によって覆われている・・・可変入賞球装置１３の開閉板１６は、前記可変表示装置３０の回転ドラム４６ａ〜４６ｃの識別情報の組み合せが所定の表示態様となったときに、特定遊技状態（以下、 大当り状態ともいう）となり、所定期間（例えば、２０秒経過するまで、あるいは１０個の入賞玉が発生するまで）開放するように設定され、その開放している間遊技領域１２を落下する打玉を受止めるようになっている。」（第２頁左上欄１８行〜同右下欄３行）、
「本実施例において、大当り状態となる可変表示装置３０の所定の表示態様としては、後に詳述する大当り図柄である「７」が第１図に示すように横３列と斜め２列の合計５つの当りラインＡ〜Ｅ上のいずれかに揃って表示されたときである。」（第２頁右下欄１５〜２０行）、
「可変入賞球装置１３の下方には、前記回転ドラム４６ａ〜４６ｃの回転を許容するの始動入賞口２２ａ〜２２ｃが設けられている。・・・始動入賞口２２ａ〜２２ｃには、始動入賞玉検出器２３ａ〜２３ｃが一体的に設けられ、始動入賞口２２ａ〜２２ｃに入賞した打玉を検出して図示しない制御回路に検出信号を送り、前記回転ドラム４６ａ〜４６ｃの回転許容信号として扱われるようになっている。」（第３頁左上欄１〜１４行）、
「パチンコ遊技機の背面には、周知のように入賞した入賞玉に基づいて所定の景品玉を払出す各種の機構が設けられる機構板が配置されると共に、その機構板には、前記した可変表示装置３０や可変入賞球装置１３の動作を制御する制御回路が構成された遊技制御回路基板（図示しない）が設けられている。」（第３頁右下欄５〜１１行）、
「回転ドラム４６ａ〜４６ｃは、透光性のある部材（合成樹脂）で構成されると共に、回転ドラム４６ａ〜４６ｃの外周面には、第５図に示すように図柄シール４９ａ（回転ドラム４６ｂ，４６ｃに対応する図柄シール４９ｂ，４９ｃは、図示省略）が貼付される。この図柄シール４９ａに表示される識別情報としての図柄は、複数（例えば、１６個）描かれているが、このうち大当りとなる図柄は、本実施例の場合１種類とされ、それぞれの回転ドラム４６ａ〜４６ｃに少なくとも１個描かれている。具体的には、数字の「７」が大当りの識別情報であり、この「７」が当りラインＡ〜Ｅ上のいずれかに並んだときに大当りとなる。しかして、本実施例の場合、図柄「７」だけが光の透過率の高い透明図柄５０（着色透明、無色透明を含む）として描かれ、他の図柄は、図柄シール４９ａの不透明下地５１（具体的には、白色不透明）と同様に不透明図柄（この場合には、着色不透明）として描かれている。このため、後述する発光部材としてのＬＥＤ６５ａ〜６５ｃ、６６ａ〜６６ｃ、６７ａ〜６７ｃが駆動して点灯したときには、大当りとなる図柄が他の図柄よりもより鮮明に浮び上がり、遊技者に大当りである旨の認識をより明確に報知することができると共に、回転ドラム４６ａ〜４６ｃの可変表示に対して遊技者の興味を引き付けることができる。」（第４頁右下欄７行〜第５頁左上欄１２行）、
「モータ固定板４８ａ〜４８ｃの前方には、ＬＥＤカバー６３ａ〜６３ｃ（ただし、６３ｂ，６３ｃは図示省略）が固着されている。このＬＥＤカバー６３ａ〜６３ｃは、・・・その回転ドラム４６ａ〜４６ｃの内側に位置するように配置されている。しかして、ＬＥＤカバー６３ａ〜６３ｃは、その後面にＬＥＤ基板６４ａ〜６４ｃが固着され、第３図に示すようにそのＬＥＤ基板６４ａ〜６４ｃにそれぞれ縦方向に３つのＬＥＤ６５ａ〜６５ｃ、６６ａ〜６６ｃ、６７ａ〜６７ｃとが設けられている。そして、ＬＥＤカバー６３ａ〜６３ｃには、それぞれのＬＥＤ６５ａ〜６５ｃ、６６ａ〜６６ｃ、６７ａ〜６７ｃを囲むような反射収容室６８ａ〜６８ｃ、６９ａ〜６９ｃ、７０ａ〜７０ｃが構成されている。この反射収容室６８ａ〜６８ｃ、６９ａ〜６９ｃ、７０ａ〜７０ｃは、第３図及び第４図に示すように、その先端が回転ドラム４６ａ〜４６ｃの外周面の裏側近傍まで延設されると共に、前端開口面の大きさが１つの識別情報を照射し得る程の大きさとなっている。このため、ＬＥＤ６５ａ〜６５ｃ、６６ａ〜６６ｃ、６７ａ〜６７ｃによって発せられた光を前方だけに通るように導くと共に、その導かれた光によって１つの識別情報としての図柄の裏面を照射して図柄を浮び上がらせるものである。」（第６頁右上欄８行〜同左下欄１６行）、
「この可変表示装置３０の作用について第９図ないし第１１図を参照して説明する。」（第７頁左下欄１３〜１７行）、
「第１０図について説明すると、・・・まず、（ａ）に示すように、左の回転ドラム４６ａの可変表示が停止したときに「７」が表示されると、それに対応するＬＥＤ６５ａが点灯する。このとき、残りの回転ドラム４６ｂ，４６ｃは、未だ可変表示中であり、それに対応するＬＥＤ６５ｂ，６５ｃも消灯したままである。この状態で次の（ｂ）に示すように、右側の回転ドラム４６ｃの可変表示が停止したときに「７」が表示されると、それに対応するＬＥＤ６５ｃが点灯する。このとき、残りの中央の回転ドラム４６ｂは、未だ可変表示中であり、それに対応するＬＥＤ６５ｂは、リーチ状態である旨をより強烈にアピールするために点滅動作される。・・・一方、（ｃ）において、大当り図柄が表示されなかったときには、すべてのＬＥＤ６５ａ〜６５ｃが消灯するように制御される。また、第１０図においても中央の当りラインＡについてだけ述べたが、他の当りラインＢ〜Ｅについても同様に制御すればよい。」（第８頁左上欄１９行〜同左下欄１２行）、
「上述した第９図及び第１０図においては、１つの当りライン上の大当りの図柄が表示される実施例について説明したが、第１１図に示すように、複数（例えば、２つ）の当りライン上に大当り図柄が表示される可能性がある場合には、例えば、以下のように制御すればよい。ただし、第１１図において、「７」に加えて「３」も大当り図柄と認定されている。しかして、左右の回転ドラム４６ａ，４６ｃの可変表示が停止したときに、斜めの当りラインＤ及びＥ上に大当り図柄「７」及び「３」が表示された場合には、当りラインＤ上の左右の識別情報に対応するＬＥＤ６６ａ，６７ｃを点灯させ、当りラインＥ上の左右の識別情報に対応する６７ａ，６６ｃを点滅させる。このとき当りラインＤ及びＥにおいては、リーチ状態であるため、中央の識別情報に対応するＬＥＤ６５ｂをより遅い点滅状態で表示する。そして、中央の識別情報が「７」と表示された場合には、当りラインＤ上で大当り図柄が揃ったことになるので、当りラインＤ上に対応するＬＥＤ６６ａ，６５ｂ，６７ｃを点灯させ、一方、中央の識別情報が「３」と表示された場合には、当りラインＥ上で大当り図柄が揃ったことになるので、当りラインＥ上に対応するＬＥＤ６７ａ，６５ｂ，６６ｃを点滅させる。・・・第１１図に示す場合においても上記したように表示制御させる必要はなく、例えば、リーチ状態において当りラインＤのＬＥＤ６６ａ，６５ｂ，６７ｃと当りラインＥ上のＬＥＤ６７ａ，６５ｂ，６６ｃとを順番に点灯移動させるように表示させてもよい。」（第８頁左下欄１３行〜第９頁左上欄１０行）、
「この発明に係る可変表示装置は、回転部材を透光性のある部材で構成すると共に、遊技者が視認し得る識別情報の裏面から光を照射する発光部材を設けたので、識別情報に光が照射されて識別情報の色調に変化を与える。これによって、単なる色彩だけが施された識別情報に色調の変化を付与することができ、回転部材の可変表示に対して遊技者の興味を引き付けることができる。」（第９頁左下欄５〜１３行）、
「第１図に記載された、可変表示装置が設けられる遊技盤の遊戯領域の正面拡大図の態様」（第１図）、
「第３及び４図に記載された、可変表示装置の縦断面図及び横断面図の態様」（第３及び４図）、
「第９〜１１図に記載された、可変表示装置の作用の態様」（第９〜１１図）、及び「第１２図に記載された、可変表示装置が適用されるパチンコ遊技機の態様」（第１２図）。
　上記摘記した事項、特に「始動入賞口２２ａ〜２２ｃに入賞した打玉を検出して図示しない制御回路に検出信号を送り、前記回転ドラム４６ａ〜４６ｃの回転許容信号として扱われるようになっている。」（第３頁左上欄１０〜１４行）、及び「前記した可変表示装置３０や可変入賞球装置１３の動作を制御する制御回路」（第３頁右下欄８〜１０行）の記載からみて、上記制御回路は、上記始動入賞口に打玉が入賞すると、上記可変制御装置に可変表示を開始させた後該可変表示を停止させて上記識別情報の組み合せを表示させる制御を行なうと認められる。
　上記摘記した事項、特に「可変入賞球装置１３の開閉板１６は、前記可変表示装置３０の回転ドラム４６ａ〜４６ｃの識別情報の組み合せが所定の表示態様となったときに、特定遊技状態（以下、大当り状態ともいう）となり、所定期間（例えば、２０秒経過するまで、あるいは１０個の入賞玉が発生するまで）開放するように設定され」（第２頁１６行〜同右下欄１行）、「本実施例において、大当り状態となる可変表示装置３０の所定の表示態様としては、後に詳述する大当り図柄である「７」が第１図に示すように横３列と斜め２列の合計５つの当りラインＡ〜Ｅ上のいずれかに揃って表示されたときである。」（第２頁右下欄１５〜２０行）、「第１１図に示すように、複数（例えば、２つ）の当りライン上に大当り図柄が表示される可能性がある場合には」（第８頁左下欄１５〜１７行）及び第１１図の記載からみて、上記可変表示装置は、上記５つの当りラインのうちの２つ以上の当りライン上において同時にリーチ状態が発生可能に構成されているとともに、該５つの当りライン上のいずれかに所定の識別情報の組み合せが表示された場合に、上記可変入賞球装置の上記開閉板を開放可能となるように定められていると認められる。
　さらに上記摘記した事項、特に「前記した可変表示装置３０や可変入賞球装置１３の動作を制御する制御回路」（第３頁右下欄８〜１０行）の記載からみて、上記制御回路は、上記ＬＥＤをも制御していると認められる。
　以上のとおりであるから、上記摘記された事項からみて、刊行物２には以下の発明が記載されている。
「パチンコ遊技機であって、複数の識別情報が表面に形成された回転ドラムを３つ備えた可変表示装置と、打玉が入賞可能な始動入賞口と、遊技領域に設けられ、大当り状態となると入賞領域を覆う開閉板を所定期間開放するように設定された可変入賞球装置と、前記始動入賞口に打玉が入賞すると、前記可変制御装置に可変表示を開始させた後該可変表示を停止させて前記識別情報の組み合せを表示させる制御を行なう制御回路と、遊技者が視認し得る前記識別情報の裏面から光を照射するＬＥＤとを含み、前記可変表示装置は、横３列と斜め２列の合計５つの当りラインが定められており、該５つの当りラインのうちの２つ以上の当りライン上において同時にリーチ状態が発生可能に構成されているとともに、前記５つの当りライン上のいずれかに所定の識別情報の組み合せが表示された場合に、上記可変入賞球装置の上記開閉板を開放可能となるように定められており、前記制御回路は、前記制御を開始した後、リーチ状態が発生すると、該リーチ状態の当りライン上の前記識別情報に対応するＬＥＤを点灯又は点滅させるパチンコ遊技機。」
１）−３．平成１３年５月３１日付けの取消理由通知で引用された刊行物３（実願昭６２−５７９５４号（実開昭６３−１６３８７７号）のマイクロフィルム）には以下の事項が記載されている。
「順次停止していく複数の独立した可変表示体を有し、この可変表示体に可変表示される図柄の組合わせにより入賞条件が設定されているパチンコ遊技機において、可変表示体に可変表示される図柄の組合わせが複数組得られるよう可変表示体を配設すると共に、複数の組合わせに最も多く共通する可変表示体を最後に停止するようにしたことを特徴とするパチンコ遊技機。」（実用新案登録請求の範囲）、
「このような従来のパチンコ遊技機にあっては、可変表示体(60a)(60b)(60c)に可変表示される数宇の組合わせが、第９図に示すように、横一列に並んだ３桁の数字という、１つの組合わせでしかない。したがって、左側のセグメント表示体(60a)に可変表示された数字と、中央のセグメント表示体(60b)に可変表示された数字とが異なる場合には、残った右側のセグメント表示体(60c)に数字が可変表示されるのを待つまでもなく、大当りの可能性は全くない。遊技客にしてみれば、左側のセグメント表示体(60a)及び中央のセグメント表示体(60b)に数字が可変表示された時点で大当りの可能性が無くなってしまう場合が多く、面白みに欠けるものであった。このような傾向は、特に『７』が３つ揃った場合にのみ大当りとする従来のパチンコ遊技機に顕著に表われている。本考案は以上のような実状に鑑みなされたものであり、その目的は、面白みに富んだ、遊技客に飽きられ難いパチンコ遊技機を提供することにある。」（第２頁１６行〜第３頁１８行）、
「第２図に示すように、電動役物(20)には、５つの可変表示体（セグメント表示体）(10a)(10b)(10c)(10d)(10c)がＨ字状に配設されている。これら５つのセグメント表示体(10a)(10b)(10c)(10d)(10e)のそれぞれは、１つの可変表示部と他の可変表示部が連動するものではなく、他のセグメント表示体とは無関係に図柄を可変表示する、独立したセグメント表示体である。この場合、セグメント表示体(10a)(10b)(10c)(10d)(10e)に可変表示される図柄の組合わせは、３個のセグメント表示体の組合わせで１つの「大当り」の組合わせとすれば、第３図に示すように、組合わせ１（丸数字）〜組合わせ６（丸数字）の６通りの組合わせとなる。組合わせ１（丸数字）〜組合わせ６（丸数字）の６通りの組合わせに最も多く共通する可変表示体は、中央に位置するセグメント表示体(10c)であり、・・・左上、左下、右上、右下、中央の順に停止していく。」（第５頁７行〜第６頁１２行）、
「第５図〜第７図に示すように、９つの可変表示体を縦横３つずつ並ぶよう配設したもの等でもよい。これらの場合も、中央に位置する可変表示体が、複数の組合わせに最も多く共通する可変表示体であり、この中央に位置する可変表示体を最後に停止させる。・・・また、複数設けられた可変表示体の停止順序は、複数の組合わせに最も多く共通する可変表示体を最後に停止させれば、他の可変表示体の停止順序は特に限定されない。」（第８頁６〜１７行）、
「以上のように本考案に係るパチンコ遊技機によれば、可変表示体に可変表示される図柄の組合わせが複数組得られるよう可変表示体を配設すると共に複数の組合わせに最も多く共通する可変表示体を最後に停止するようにしたことにより、最後の可変表示体に図柄が可変表示される以前に大当りの可能性が無くなってしまうことを減少させることができ、面白みに富んだ、遊技客に飽きられ難いパチンコ遊技機を提供することができる。」（第１１頁２〜１０行）及び「第５〜７図に記載された可変表示体及び該可変表示体に可変表示される図柄の組合わせ」（第５〜７図）。
　上記摘記された事項、特に「組合わせ１（丸数字）〜組合わせ６（丸数字）の６通りの組合わせに最も多く共通する可変表示体は、中央に位置するセグメント表示体(10c)であり、・・・左上、左下、右上、右下、中央の順に停止していく。」（第６頁１〜１２行）の記載からみて、
　刊行物３には、第５〜７図に記載されたパチンコ遊技機において、中央に位置する可変表示体を除く８つの可変表示体を複数の段階に分けて停止した後、該中央に位置する可変表示体を最後に停止することが示唆されていると認められる。そして、このような停止方法によれば、少なくとも、第５〜７図に示された８組の図柄の組合わせのうち、組合わせ１（丸数字）、３（丸数字）、４（丸数字）及び６（丸数字）と組合わせ２（丸数字）、５（丸数字）、７（丸数字）及び８（丸数字）とは、時期を異ならせて表示されることは明らかである。
　以上のとおりであるから、上記摘記された事項からみて、刊行物３には以下の発明が記載されている。
「順次停止していく複数の独立した可変表示体を有し、この可変表示体に可変表示される図柄の組合わせにより入賞条件が設定されているパチンコ遊技機であって、可変表示体に可変表示される図柄の組合わせが縦方向の３組、横方向の３組及び対角線方向の２組の計８組得られるよう９つの可変表示体を縦横３つずつ並ぶよう配設すると共に、該９組の組合わせに最も多く共通する、中央に位置する可変表示を最後に停止させ、前記８組の図柄の組合わせを時期を異ならせて表示するようにしたパチンコ遊技機。」
１）−４．特許異議申立人「小室豊」が提出した甲第２号証（実願昭６０−１７４８９３号（実開昭６２−８４４８４号）のマイクロフィルム）には、
　識別情報を囲んで表示する入賞ライン表示装置について、
「第４図の実施例では、ライン表示部材１７をマトリックス状に組んだもので、入賞を構成する各々のシンボルを囲むようにして表示できるようになるものである。」（第１５頁右上欄１４〜１７行）、と記載されている。
１）−５．特許異議申立人「小室豊」が提出した甲第３号証（特開平１−２０９０８９号公報）には、
　可変表示部がそれぞれに複数種類の識別情報を画像表示可能で、上下左右方向に有効ラインを形成できるスロットマシンのリール機構について、
「第２図に於て、３はスロットマシン本体の正面パネル、４ａ〜４ｉは第１図に示した本発明リール機構の各リール１ａ〜１ｉに対応して前記正面パネル３に形成した表示窓、５１〜５９は、上記表示窓４ａ〜４ ｉの周囲に形成した入賞ラインである。即ち、図示した各入賞ライン５１〜５９は、隣り合う各表示窓４ａ〜４ｉに表われる絵柄を縦、横、斜目につないで形成したもので、各リール１ａ〜１ｉを停止したとき、各入賞ライン５１〜５９上において並んだ絵柄の組合せが、予め定められた入賞絵柄の組合せ列と一致すれば入賞となる。」（第３頁左上欄第１６行〜右上欄第６行）、と記載されている。
１）−６．特許異議申立人「小室豊」が提出した甲第４号証（特開平２−２７４２７５号公報）には、
  パチンコ機の図柄表示装置について、識別情報を囲んで有効ラインを表示する点が記載されている。
１）−７．特許異議申立人「菊池淑乃」が提出した甲第１号証（特開平３−２５１２７９号公報）には、
「特定入賞具（１０ａ，１０ｂ，１０ｃ）に球が入賞することに伴なって、複数の可変表示器（２８ａ〜２８ｄ）や発光源（例えば移動点滅用発光体３３）を備える可変表示装置（７）を作動させ、前記可変表示器や発光源の前面に位置する表示窓（例えば第１〜第４可変表示窓２８ａ〜２８ｄ）の表示内容を変換表示させると共に、予め定めた所定条件もしくは人為的操作によって可変表示器や発光源による変換表示を順次停止させ、停止時の表示窓の表示内容が特別態様を形成した際には、遊技場に有利な状態となるように変動入賞装置（８）を変換させるパチンコ機」（第２頁左上欄２０行〜同右上欄１１行）、
「発光基板１７の外縁部には発光ダイオード等によって形成した縁部発光体２５…を所要間隔毎に設け、前記第１〜第４可変表示器２１〜２４を取り巻く擬似的な発光ラインが形成できるようにしてある。この縁部発光体２５の配設位置に対応する前面カバー１６の適所には発光体ガイド孔２６…を設けてあり、該発光体ガイド孔２６より縁部発光体２５は前面カバー１６の前面側に突出し、この突出状態にある縁部発光体２５の前面へ臨むように縁部カバー２７を前面カバー１６へ取付ける。かくすることにより、パチンコ機１の前面側より可変表示装置７を見た場合に、縁部発光体２５を適宜発光させることによる擬似的な発光ラインを一層明確にすることが可能となる。」（第３頁右上欄１４行〜同左下欄７行）、
「可変表示装置７は、後述する電気的制御装置３９によって動作制御され、たとえば特定入賞具１０に遊技球が入賞することによって作動する。作動した可変表示装置７は、第１〜第４可変表示器２１〜２４を所定のタイミングで例えば０．０４８秒毎に変換表示させると共に、移動点滅発光体３３…を所定のタイミングで点滅させる。」（第４頁左下欄１５行〜同右下欄２行）、
「変動入賞装置８は第８〜９図に示すように、・・・可変表示装置７の非駆動時たる第１の状態においては、特別入賞口４１及び継続入賞口４３への入賞は起こり得ず、遊技者にとって不利な状態となり、可変表示装置７の駆動時たる第２の状態においては、変動部材４４が遊技球を招じ入れるように左右に回動することで、特別入賞口４３への入賞が極めて容易となり、遊技者にとって有利な状態が形成される。」（第５頁左下欄３行〜同右下欄４行）、
「第１〜第４可変表示窓２９〜３２の表示内容と移動点滅表示部の点灯位置に基づいて電気的制御装置は、特別態様か否かを判定する。すなわち、第７図（ｂ）に示すように第１可変表示窓２８ａと第３可変表示窓２８ｃの表示内容が共に ”７”で、かつ第１，第３可変表示窓２８ａ，２８ｃの間に位置する第１移動点滅表示窓２９が点灯したような場合を特別態様と判断するのである。なお、特別態様を形成するための表示内容は”７”に限定されるものではなく、互いに隣接する可変表示窓の表示内容が一致し、かつ当該可変表示窓間に位置する移動点滅表示窓が点灯すればよいものとしてある。」（第５頁左上欄７〜１９行）、
「第７図（ｄ）に示すように、第１〜第４可変表示窓２８ａ〜２８ｄの表示内容が全て一致した場合には上下左右の各移動点滅表示窓２９〜３２の何れが点灯しても特別態様が形成されるので、四辺全てに準特別態様が形成されたことになり、全ての縁部発光体２５…が点灯もしくは点滅する。そして、可変表示装置７に特別態様が形成されると、電気的駆動装置３９は、変動入賞装置８を駆動させるが、可変表示装置７に特別態様が形成されなければ、”外れ”として通常遊技状態に復帰させる。」（第５頁右上欄９〜２０行）、
「変換表示を停止させた際の各可変表示器２１〜２４の表示内容によって準特別態様が形成された場合には、準特別態様形成音をスピー力５９から出力させると共に、遊技盤４に設けた準特別態様表示ランプ４ｂ及び可変表示装置７における準特別態様が形成された当該ラインの縁部発光体２５…を点灯もしくは点滅させ、準特別態様が形成されたことを視覚的・聴覚的に遊技者へ知らせる。」（第８頁左上欄１２〜２０行）、
　と記載されている。
２）対比・判断
Ａ．取消理由について
　本件発明１と刊行物２に記載された発明を比較すると、刊行物２に記載された発明の「パチンコ遊技機」、「打玉が入賞可能な始動入賞口」、「横３列と斜め２列の合計５つの当りライン」、「５つの当りラインのうちの２つ以上の当りライン上において同時にリーチ状態が発生可能」及び「所定の識別情報の組み合せ」は、各々、本件発明１の「遊技領域に遊技球を打込んで遊技が行なわれる遊技機」、「遊技領域に打込まれた遊技球が入賞可能な始動入賞口」、「複数の有効ライン」、「複数の有効ラインのうちの２本以上の有効ライン上において同時にリーチ状態が発生可能」及び「特定の表示態様」に相当する。
　刊行物２に記載された発明の上記可変表示装置は、可変表示が停止すると９つの識別情報を縦３列、横３行のマトリックス状に表示する。該表示される９つの識別情報の種類が上記回転ドラムの停止位置により異なることは明らかであるから、上記可変表示装置の、縦３列、横３行に配置された個々の識別情報を表示する部分（以下、「識別情報表示部」という。）は、本件発明１の上記可変表示部と「複数種類の識別情報を・・・表示可能」である点で共通する。
　したがって、本件発明１の画像表示装置と刊行物２に記載された発明の可変表示装置は、「複数種類の識別情報を・・・表示可能な可変表示部を複数有する・・・表示装置」である点で共通する。
　刊行物２に記載された発明において、上記可変入賞球装置の上記開閉板が開放されると遊技者にとって有利となり、該開閉板が開放されないと遊技者にとって不利となるから、刊行物２に記載された発明の「遊技領域に設けられ、大当り状態となると入賞領域を覆う開閉板を所定期間開放するように設定された可変入賞球装置」は、本件発明１の「遊技領域に設けられ、遊技者にとって有利な第１の状態と遊技者にとって不利な第２の状態とに変化可能な可変入賞球装置」に相当する。
　先に検討したとおり、刊行物２に記載された発明の上記識別情報表示部は、複数種類の識別情報を表示可能である点で本件発明１の上記可変表示部と共通するから、刊行物２に記載された発明の「識別情報の組み合せ」は、本件発明１の「複数の可変表示部の表示結果」に相当する。したがって、刊行物２に記載された発明の上記制御回路は、訂正発明１の上記可変表示制御手段と「始動入賞口に遊技球が入賞したことを条件として前記複数の可変表示部の表示結果を導出表示させるための可変表示制御を開始させた後、・・・表示結果を導出表示させる制御を行なう」点で共通している。
　さらに刊行物２に記載された発明において、上記ＬＥＤが点灯又は点滅すると、遊技者は、点灯又は点滅するＬＥＤが対応する上記識別情報表示部について、上記識別情報に加えて該ＬＥＤの点灯又は点滅を認識する。そして上記ＬＥＤの点灯又は点滅は、遊技者にリーチ状態である旨を強烈にアピールするものであるから、刊行物２に記載された発明の「ＬＥＤを点灯又は点滅」は、本件発明１の「目印」に相当し、刊行物２に記載された発明の「リーチ状態の当りライン上の識別情報に対応するＬＥＤを点灯又は点滅させる」は、本件発明１の「前記可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について前記識別情報の表示に加えて順次目印画像表示を行なうための目印画像表示データをセットする処理を行なう」と、「リーチ状態の有効ライン上の所定の可変表示部について識別情報の表示に加えて・・・目印・・・表示を行なうための・・・処理を行なう」点で共通する。
　したがって、本件発明１と刊行物２に記載された発明は、
「遊技領域に遊技球を打込んで遊技が行なわれる遊技機であって、複数種類の識別情報を・・・表示可能な可変表示部を複数有する・・・表示装置と、前記遊技領域に打込まれた遊技球が入賞可能な始動入賞口と、前記遊技領域に設けられ、遊技者にとって有利な第１の状態と遊技者にとって不利な第２の状態とに変化可能な可変入賞球装置と、前記始動入賞口に遊技球が入賞したことを条件として前記複数の可変表示部の表示結果を導出表示させるための可変表示制御を開始させた後、・・・表示結果を導出表示させる制御を行なう可変表示制御手段とを含み、前記画像表示装置は、複数の有効ラインが定められており、該複数の有効ラインのうちの２本以上の有効ライン上において同時にリーチ状態が発生可能に構成されているとともに、前記複数の有効ラインのうちのいずれかにおいて特定の表示態様が表示結果として導出表示された場合に、前記可変入賞球装置を第１の状態に制御可能となるように定められており、前記可変表示制御手段は、・・・リーチ状態の有効ライン上の所定の可変表示部について前記識別情報の表示に加えて・・・目印・・・表示を行なうための・・・処理を行なう、遊技機。」
　の発明である点で一致し、
(a)前者は、表示装置が画像表示装置であるのに対し、後者は、複数の識別情報が表面に形成された回転ドラムを３つ備えたものである点、
(b)前者は、可変表示制御手段が時期を異ならせて複数の可変表示部の表示結果を導出表示させる制御を行なうのに対し、後者は、一時に導出表示させる制御を行なう点、
(c)前者は、目印が画像であって、該目印の表示を行なうための処理が目印画像表示データをセットすることであるのに対し、後者は、目印がＬＥＤの点灯又は点滅であって、該目印の表示を行うための処理がＬＥＤを点灯又は点滅させることである点、及び
(d)前者は、可変表示制御手段が、可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について識別情報の表示に加えて順次目印画像表示を行なうための処理を行なうのに対し、後者は、先に表示結果が確定するリーチ状態と後に表示結果が確定するリーチ状態とが発生する場合がない点、で相違する。
　上記相違点(ａ)〜(d)について検討する。本件発明１と刊行物３に記載された発明を比較すると、刊行物３に記載された発明の「パチンコ遊技機」、「可変表示体に可変表示される図柄」、「可変表示体」、「可変表示体に可変表示される図柄の組合わせ」及び「８組の図柄の組合わせを時期を異ならせて表示する」は、各々、本件発明１の「遊技領域に遊技球を打込んで遊技が行なわれる遊技機」、「識別情報」、「複数種類の識別情報を画像表示可能な可変表示部」、「有効ライン」及び「複数の可変表示部の表示結果を導出表示させるための可変表示制御を開始させた後、時期を異ならせて表示結果を導出表示させる」に相当する。
　刊行物２に記載された発明と刊行物３に記載された発明は遊技領域に遊技球を打込んで遊技が行なわれる遊技機という同一の技術分野に属するものであるから、前者に後者を適用することは当業者が容易になし得る事項であり、複数の有効ラインのうちの２本以上の有効ライン上において同時にリーチ状態が発生可能に構成されている前者に、時期を異ならせて複数の可変表示部の表示結果を導出表示させる後者を適用することは当業者が容易に想到し得る程度のことといえるものの、前者に後者を適用したとしても、本件発明１の、可変表示制御手段が、可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について識別情報の表示に加えて順次目印画像表示を行なうための処理を行なう点まで導き出すことはできないというべきである。また、刊行物１、４を参照してもこの点に関する記載及び示唆を見いだすことはできない。
　そして、本件発明１は、上記点に基づき明細書記載の「リーチ状態が発生する場合に、目印表示データがセットされてそのリーチ状態となる有効ライン上の所定の可変表示部についての目印画像表示が行なわれることとなるために、有効ライン上にリーチ状態が発生したことを遊技者に確実に認識させることができ、リーチ状態の発生に伴う興奮を遊技者に確実に提供しやすくなる。」という効果を奏するものと認められる。
　よって本件発明１は、刊行物１〜４に記載された発明に基づいて当業者が容易に発明をすることができたものとすることはできない。
　本件発明１については上記のとおりであるので、本件発明１をさらに引用して限定した発明である本件発明２〜４についても本件発明１と同じ理由により、刊行物１〜４に記載された発明に基づいて当業者が容易に発明をすることができたものとすることはできない。
Ｂ．申立人小室豊の異議申立について
　上記取消理由の刊行物１（特開平２−２９９６７９号公報）は、異議申立人「小室豊」が提出した甲第１号証である。
　そして、上記取消理由で検討したように、甲第１号証には本件発明１の、可変表示制御手段が、可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について識別情報の表示に加えて順次目印画像表示を行なうための処理を行なう点に関する記載及び示唆を見いだすことはできない。また、上記甲第２〜４号証を参照してもこの点に関する記載及び示唆を見いだすことはできない。
　そして、本件発明１は、上記点に基づき明細書記載の「リーチ状態が発生する場合に、目印表示データがセットされてそのリーチ状態となる有効ライン上の所定の可変表示部についての目印画像表示が行なわれることとなるために、有効ライン上にリーチ状態が発生したことを遊技者に確実に認識させることができ、リーチ状態の発生に伴う興奮を遊技者に確実に提供しやすくなる。」という効果を奏するものと認められる。
　よって本件発明１は、甲第１〜４号証に記載された発明に基づいて当業者が容易に発明をすることができたものとすることはできない。
　本件発明１については上記のとおりであるので、本件発明１をさらに引用して限定した発明である本件発明２〜４についても本件発明１と同じ理由により、刊行物１〜４に記載された発明に基づいて当業者が容易に発明をすることができたものとすることはできない。
Ｃ．申立人菊池淑乃の異議申立について
　本件発明１と甲第１号証とを対比すると、甲第１号証には本件発明１の、可変表示制御手段が、可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について識別情報の表示に加えて順次目印画像表示を行なうための処理を行なう点に関する記載及び示唆を見いだすことはできない。
　そして、本件発明１は、上記点に基づき明細書記載の「リーチ状態が発生する場合に、目印表示データがセットされてそのリーチ状態となる有効ライン上の所定の可変表示部についての目印画像表示が行なわれることとなるために、有効ライン上にリーチ状態が発生したことを遊技者に確実に認識させることができ、リーチ状態の発生に伴う興奮を遊技者に確実に提供しやすくなる。」という効果を奏するものと認められる。
　よって本件発明１は、甲第１号証に記載された発明に基づいて当業者が容易に発明をすることができたものとすることはできない。
　本件発明１については上記のとおりであるので、本件発明１をさらに引用して限定した発明である本件発明２〜４についても本件発明１と同じ理由により、刊行物１〜４に記載された発明に基づいて当業者が容易に発明をすることができたものとすることはできない。
（３）２９条の２第１項違反について
１）先願発明
　本件特許の出願の日前の出願であって、その出願後に出願公開された特願平４−１００７２２号（特開平５−２６９２４３号）の願書に最初に添付した明細書又は図面（以下「先願明細書」という）には、以下の発明が記載されている。
「【請求項１】　遊技盤面に設けられた始動入賞口への入賞に基いて所定の変動表示時間だけ複数種の識別情報を複数行の各々について変動表示させ前記変動表示時間の経過に基いて識別情報のいずれかを複数行の各々に時間差を設けて順次停止表示する可変表示装置と、該可変表示装置に表示されたすべての停止識別情報が予め定められた特定識別情報である場合に遊技者に有利な権利を発生させる可変入賞球装置とを設けたパチンコ機において、前記可変表示装置をドットマトリクス表示器で構成し、該ドットマトリクス表示器を複数行複数列の各分割表示面単位で表示制御する表示制御回路を設け、該表示制御回路によって前記分割表示面のいずれかに特定組合せに相当する停止識別情報が表示されたときに該特定組合せの停止識別情報を表示している分割表示面と他の分割表示面とを互いに異なる態様で表示制御する手段を設けたことを特徴とするパチンコ機の画像表示装置。
【請求項２】　ドットマトリクス表示器が複数色を表示可能な表示素子からなることを特徴とする請求項１に記載のパチンコ機の画像表示装置。
【請求項３】　ドットマトリクス表示器がＬＣＤ表示素子からなることを特徴とする請求項１または請求項２に記載のパチンコ機の画像表示装置。
【請求項４】　ドットマトリクス表示器が３行３列の分割表示面からなることを特徴とする請求項１ないし請求項３のいずれかに記載のパチンコ機の画像表示装置。」（特許請求の範囲）、
「このような状態は、残り１行の停止識別情報の種別によっては、特定識別情報が停止表示される可能性を有しているので、リーチ状態またはリーチしていると呼ばれる。そしてリーチ状態を構成する停止識別情報の組合せは特定組合せという。」（段落【００１１】）、
「本発明は上記目的を達成するための手段として、可変表示装置をドットマトリクス表示器で構成し、該ドットマトリクス表示器を複数行複数列の各分割表示面単位で表示制御する表示制御回路を設け、該表示制御回路によって分割表示面のいずれかに特定組合せに相当する停止識別情報が表示されたときに該特定組合せの停止識別情報を表示している分割表示面と他の分割表示面とを互いに異なる態様で表示制御する特定表示回路を報知手段に設けた構成としている。」（段落【００２４】）、
「このような構成としたことにより、特定組合せが表示されたとき報知手段は特定表示回路によって、特定組合せが表示されている分割表示面と他の分割表示面とを互いに異なる態様で表示制御することにより、リーチ状態およびその組合せラインを特定組合せを構成する停止識別情報とともに表示する。」（段落【００２８】）、
「ＬＣＤカラーパネル２の表示面は図２および図３の破線で示すように、右中左および上中下にそれぞれ３分割すなわち３行３列の合計９分割され、各分割表示面イ〜リは可変表示装置１に設けられた表示制御回路としてのビデオ制御回路（図１参照）５によって各分割表示面イ〜リ単位で表示制御される。」（段落【００３８】）、
「また分割表示面イ〜リの表示内容はパチンコ遊技の進行に応じて変動し、いずれかの停止識別情報は各分割表示面イ〜リに対して１つずつ割り当てられる。」（段落【００４０】）、
「なお本実施例では図５に示すように図中、横方向に組合せラインＬ１〜Ｌ３を３本、そして対角線方向に組合せラインＬ４，Ｌ５を２本の合計５本を配置し、・・・そして本実施例におけるリーチ状態は、リーチ状態にある分割表示面イ〜リの停止識別情報とリーチ状態停止素材データ（に対応する停止識別情報）とを所定のタイミングで互いに入れ換えることにより報知表示される。」（段落【００５１】〜【００５３】）、
「この停止識別情報の表示に際してリーチしているときには、ビデオ制御回路５には上述したようにリーチ信号がＭＰＵ９から入力されるので、ビデオ制御回路５はリーチしている組合せラインＬ１〜Ｌ５について、特定組合せを構成する停止識別情報の分割表示面イ〜リと、他の分割表示面イ〜リとを互いに異なる態様で表示制御する。
【００６７】したがってリーチ状態およびその組合せラインＬ１〜Ｌ５が、遊技者に対して特定組合せを構成する停止識別情報とともに表示される。本実施例においてリーチ信号がビデオ制御回路５に入力されたとき、リーチ状態にある分割表示面イ〜リと他の分割表示面イ〜リとを互いに異なる色彩によって、所定のタイミングで互いに入れ換える表示をする。
【００６８】また上記異なる態様は、上述した互いに異なる色彩による所定のタイミングでの入れ換えに限定されるものではなく、リーチ状態にある分割表示面イ〜リと他の分割表示面イ〜リとが判別可能であるかぎり、いかなる態様であってもよい。」（段落【００６６】〜【００６８】）、
「そして特定識別情報である場合には可変表示装置１の下方に配置された可変入賞球装置24を駆動制御することにより、大役処理として閉鎖している大入賞口（図２および図３参照）26を継続的に開放させる。」（段落【００６９】）、
「たとえば複数の組合せラインＬ１〜５について同時にリーチ状態が発生しても、互いに異なる表示態様で表示することにより、その特定組合せを構成する停止識別情報およびその組合せラインＬ１〜５は識別される。」（段落【０１２２】）、
「ついでｓ36では表示されている左行、中行および右行の各停止識別情報の内、左行上列と中行上列と右行上列とが特定識別情報であるか否かを比較判定し、・・・大入賞口ソレノイド37をオンして大入賞口29を開口する。」（段落【０１２６】〜【０１３９】）、
　と記載されている。
２）対比・判断
　本件発明１と先願明細書に記載された発明を比較すると、先願明細書に記載された発明には本件発明１の、可変表示制御手段が、可変表示制御を開始させた後、先に表示結果が確定するリーチ状態と後に表示結果が確定するリーチ状態とが発生する場合に、表示結果が確定する順番の来た前記リーチ状態の有効ライン上の所定の可変表示部について識別情報の表示に加えて順次目印画像表示を行なうための処理を行なう点に関する記載及び示唆を見いだすことはできない。
　そして、本件発明１は、上記点に基づき明細書記載の「リーチ状態が発生する場合に、目印表示データがセットされてそのリーチ状態となる有効ライン上の所定の可変表示部についての目印画像表示が行なわれることとなるために、有効ライン上にリーチ状態が発生したことを遊技者に確実に認識させることができ、リーチ状態の発生に伴う興奮を遊技者に確実に提供しやすくなる。」という効果を奏するものと認められる。
　よって、本件発明１は先願明細書に記載された発明と同一であるとすることができない。
　本件発明１については上記のとおりであるので、本件発明１をさらに引用して限定した発明である本件発明４についても本件発明１と同じ理由により、先願明細書に記載された発明と同一であるとすることができない。
（４）むすび
　以上のとおりであるから、本件発明１〜４は、特許異議申立人「小室豊」、「菊池淑乃」の理由及び証拠によっては、本件発明についての特許を取り消すことができない。
　また、他に本件発明についての特許を取り消すべき理由を発見しない。
　よって、結論のとおり決定する。
【異議決定日】
平成１３年９月１８日（２００１．９．１８）